(57)【特許請求の範囲】
【請求項１】
情報端末機とネットワークを介して接続されたサーバ装置、及び画像データをプリントするプリントベンダとを有するプリントサービスシステムにおいて、
上記情報端末機は、
本画像データと当該本画像データよりもデータ量を小さいプレビュー用のサブ画像データとを対応させて記録する記録手段を備え、上記サーバ装置との間での料金の決済に際して、上記記録手段に記録された本画像データを上記サーバ装置へ送信し、
上記サーバ装置は、
決済データを上記記録手段に記録されているサブ画像データと対応させて記録させ、上記情報端末機から送信された本画像データの内容と上記プリントベンダから送信されるサブ画像データの内容とを照合して、前記サブ画像データとの照合が取れた本画像データを、プリントすべき本画像データとして上記プリントベンダに送信し、
上記プリントベンダは、
上記記録手段に記録されているサブ画像データに決済データが対応して記録されていることを確認して上記サブ画像を上記サーバ装置に送信し、上記サーバ装置から送信された本画像データをプリントする
ことを特徴とするプリントサービスシステム。
【請求項２】
上記情報端末機が有する記録手段は、上記情報端末機に着脱自在に設けられた記録媒体であり、
上記プリントベンダは、画像データのプリント後に上記記録媒体からその画像データに対応して記録されていた決済データを消去することを特徴とする請求項１記載のプリントサービスシステム。
【請求項３】
上記プリントベンダは、プリントを行なった本画像データを上記記録手段に記録することを特徴とする請求項１又は２記載のプリントサービスシステム。
【請求項４】
情報端末機とネットワークを介して接続されたサーバ装置、及び画像データをプリントするプリントベンダとを有するシステムでのプリントサービス方法において、
上記情報端末機は、
本画像データと当該本画像データよりもデータ量を小さいプレビュー用のサブ画像データとを対応させて記録する記録手段を備え、上記サーバ装置との間での料金の決済に際して、上記記録手段に記録された本画像データを上記サーバ装置へ送信し、
上記サーバ装置は、
決済データを上記記録手段に記録されているサブ画像データと対応させて記録させ、上記情報端末機から送信された本画像データの内容と上記プリントベンダから送信されるサブ画像データの内容とを照合して、前記サブ画像データとの照合が取れた本画像データを、プリントすべき本画像データとして上記プリントベンダに送信し、
上記プリントベンダは、
上記記録手段に記録されているサブ画像データに決済データが対応して記録されていることを確認して上記サブ画像を上記サーバ装置に送信し、上記サーバ装置から送信された本画像データをプリントする
ことを特徴とするプリントサービス方法。
【発明の詳細な説明】
【０００１】
【発明の属する技術分野】
本発明は、例えばデジタルスチルカメラで撮影した画像データを有料でプリントアウトするプリントサービスシステム及びプリントサービス方法に関する。
【０００２】
【従来の技術】
近時、パーソナルコンピュータの普及に伴ない、銀塩フィルムを用いたカメラに代わって、撮影した画像をデジタルデータ化して記録することが可能なデジタルスチルカメラ（以下「デジタルカメラ」と称する）が広く一般に使用されるようになった。
【０００３】
この種のデジタルカメラでは、撮影により得た画像データをパーソナルコンピュータやテレビ受像機の画面で表示させるだけでなく、プリンタがあればプリントアウトすることも可能である。
【０００４】
【発明が解決しようとする課題】
しかしながら、一般家庭で使用されるプリンタでの印刷品質やインクの耐光性等は、長い歴史を有する銀塩写真にまだまだ及ぶものではなく、充分に鑑賞に耐える高品質のプリントを得るためには、非常に高価なプリンタを購入しなければならず、そのランニングコストも高いものとなってしまうため、あまり現実的ではない。
【０００５】
近年は、一般のＤＰＥ店舗でも、デジタルカメラで撮影した画像データのプリントアウトを行なうサービスが徐々に行なわれるようになっており、品質の高いプリントを比較的安価で得ることが可能となりつつある。
【０００６】
ところで、デジタルカメラでは、ＤＰＯＦ（Ｄｉｇｉｔａｌ  Ｐｒｉｎｔ  Ｏｒｄｅｒ  Ｆｏｒｍａｔ）なる規格が標準化されており、プリントしたい画像や焼き増し枚数、日付入れの有無などの印刷情報を画像データと共にＨＴＭＬ（ＨｙｐｅｒＴｅｘｔ  Ｍａｒｋｕｐ  Ｌａｎｇｕａｇｅ）準拠のフォーマットで記録媒体であるメモリカードに保存させることができる。
【０００７】
したがって、上記印刷情報を画像データと共に記録したメモリカードを店舗に持ち込めば、所望のプリント得ることができるようになる。
【０００８】
しかし、プリントアウトに関する情報を画像データと共にメモリカードに記録することで、ＤＰＥ店舗でも容易にプリントを得ることができるサービスが実現しつつある一方、そのサービスの利用にかかる費用は、従前通り該店舗で現金等により支払う必要があり、デジタルカメラのユーザが気軽に利用できるサービス環境には至っていない。
【０００９】
本発明は上記のような実情に鑑みてなされたもので、その目的とするところは、課金処理も含めて、気軽にデジタル画像データから高品質のプリントを得ることが可能なプリントサービスシステム及びプリントサービス方法を提供することにある。
【００１０】
【課題を解決するための手段】
請求項１記載の発明は、情報端末機とネットワークを介して接続されたサーバ装置、及び画像データをプリントするプリントベンダとを有するプリントサービスシステムにおいて、上記情報端末機は、本画像データと当該本画像データよりもデータ量を小さいプレビュー用のサブ画像データとを対応させて記録する記録手段を備え、上記サーバ装置との間での料金の決済に際して、上記記録手段に記録された本画像データを上記サーバ装置へ送信し、上記サーバ装置は、決済データを上記記録手段に記録されているサブ画像データと対応させて記録させ、上記情報端末機から送信された本画像データの内容と上記プリントベンダから送信されるサブ画像データの内容とを照合して、前記サブ画像データとの照合が取れた本画像データを、プリントすべき本画像データとして上記プリントベンダに送信し、上記プリントベンダは、上記記録手段に記録されているサブ画像データに決済データが対応して記録されていることを確認して上記サブ画像を上記サーバ装置に送信し、上記サーバ装置から送信された本画像データをプリントすることを特徴とする。
【００１２】
請求項２記載の発明は、上記請求項１記載の発明において、上記情報端末機が有する記録手段は、上記情報端末機に着脱自在に設けられた記録媒体であり、上記プリントベンダは、画像データのプリント後に上記記録媒体からその画像データに対応して記録されていた決済データを消去することを特徴とする。
【００１４】
請求項３記載の発明は、上記請求項１又は２記載の発明において、上記プリントベンダは、プリントを行なった本画像データを上記記録手段に記録することを特徴とする。
【００１８】
請求項４記載の発明は、情報端末機とネットワークを介して接続されたサーバ装置、及び画像データをプリントするプリントベンダとを有するシステムでのプリントサービス方法において、上記情報端末機は、本画像データと当該本画像データよりもデータ量を小さいプレビュー用のサブ画像データとを対応させて記録する記録手段を備え、上記サーバ装置との間での料金の決済に際して、上記記録手段に記録された本画像データを上記サーバ装置へ送信し、上記サーバ装置は、決済データを上記記録手段に記録されているサブ画像データと対応させて記録させ、上記情報端末機から送信された本画像データの内容と上記プリントベンダから送信されるサブ画像データの内容とを照合して、前記サブ画像データとの照合が取れた本画像データを、プリントすべき本画像データとして上記プリントベンダに送信し、上記プリントベンダは、上記記録手段に記録されているサブ画像データに決済データが対応して記録されていることを確認して上記サブ画像を上記サーバ装置に送信し、上記サーバ装置から送信された本画像データをプリントすることを特徴とする。
【００２４】
【発明の実施の形態】
（第１の実施の形態）
以下本発明を、デジタルカメラで撮影した画像データによりプリントを行なうプリントサービスシステムに適用した第１の実施の形態について図面を参照して説明する。
【００２５】
図１は、システム全体の構成を示すものであり、１１がユーザの所有するデジタルカメラである。
【００２６】
このデジタルカメラ１１は、撮影した画像データを、このデジタルカメラ１１本体に着脱自在（本体に内蔵でもよい）にして備えられた記録媒体であるメモリカードに記録するようになっており、この画像データを記録したメモリカードを装着した状態のデジタルカメラ１１を、同じくユーザが所有するパーソナルコンピュータ１２に接続する。
【００２７】
この場合、デジタルカメラ１１とパーソナルコンピュータ１２とをＵＳＢ（Ｕｎｉｖｅｒｓａｌ  Ｓｅｒｉａｌ  Ｂｕｓ）やＩＥＥＥ１３９４のようなシリアルインターフェイスのケーブルで接続するものとしてもよいし、あるいはデジタルカメラ１１とパーソナルコンピュータ１２が共にＢｌｕｅｔｏｏｔｈのような無線インターフェイスに対応していれば、デジタルカメラ１１をパーソナルコンピュータ１２の所定範囲内に配置して自動的に無線接続するものとしてもよい。
【００２８】
しかして、デジタルカメラ１１を接続したパーソナルコンピュータ１２はまた、公衆回線網及びインターネットを含むネットワーク１３を介して、プリント業者のウェブサーバ装置１４が開設しているサービスサイトにもアクセス可能であり、該サービスサイトのウェブページ上でプリントする画像の設定やプリント料金の決済を行なう。
【００２９】
ウェブサーバ装置１４は、図２に示すように、画像の設定や決済などの制御を行う制御部１０１、ウェブサーバ装置１４の制御するためのプログラムが書き込まれているＲＯＭ１０２、一時的な作業領域であるＲＡＭ１０３、パーソナルコンピュータ１２やベンダ店舗１５とネットワーク１３を介して接続する通信部１０４、及び画像やメニューなどの表示を行う表示部１０５を備えている。
【００３０】
このウェブサーバ装置１４との接続により、パーソナルコンピュータ１２に接続したデジタルカメラ１１に記録されている画像データには、プリント情報と決済データとが添付されるようになる。
【００３１】
デジタルカメラ１１のユーザは、後日、このプリント情報と決済データとが添付された画像データを記録しているデジタルカメラ１１、あるいはデジタルカメラ１１から取出したメモリカードを、上記プリント業者の経営する最寄りのベンダ店舗１５に持込み、画像のプリントを実施する。
【００３２】
ベンダ店舗１５の機能ブロックは、基本的には上記図２に示したウェブサーバ装置１４と同じ機能ブロックであり、さらに印刷部（図示せず）を備えている。
【００３３】
次に上記実施の形態の動作について説明する。
【００３４】
図３は、デジタルカメラ１１及びパーソナルコンピュータ１２のユーザとプリント業者のウェブサーバ装置１４、及び同プリント業者のベンダ店舗１５の間で実行される手順の流れを示すものである。
【００３５】
まず、ユーザは上述した如く画像データを記録したデジタルカメラ１１をパーソナルコンピュータ１２に接続した状態で、パーソナルコンピュータ１２によりネットワーク１３を介してプリント業者のウェブサーバ装置１４が開設しているサービスサイトにアクセスする（ステップＡ０１）。
【００３６】
この際、ユーザは、個人認証のためにＩＤ及びパスワードの入力を行なうもので、ウェブサーバ装置１４では、入力されたＩＤ及びパスワードにより認証処理を実行し（ステップＡ０２）、認証が得られると、ウェブサーバ装置１４に対して処理の続行を許可し、具体的なプリントの手続きを行なうウェブページでの処理に移行する（ステップＡ０３）。
【００３７】
ここでパーソナルコンピュータ１２とウェブサーバ装置１４との間では、プリント手続きとして、例えばプリントを行なう画像データのファイル名とプリント枚数、日付けの写し込みの有無等をパーソナルコンピュータ１２がウェブページ中の項目に従って選択指定することにより、ウェブサーバ装置１４が、対応するＤＰＯＦの規格に従ったプリント情報を作成してデジタルカメラ１１の記録媒体であるメモリカードに当該画像データに添付するようにして書込むものとなる（ステップＡ０４）。
【００３８】
しかして、パーソナルコンピュータ１２側から手続きの終了を指示する入力がなされると、ウェブサーバ装置１４は、最終的に選択指定された全プリント情報と、パーソナルコンピュータ１２に接続されているデジタルカメラ１１のメモリカードの画像データに添付して記録したプリント情報の状態とに相違がないことをチェックした上で（ステップＡ０５）、手数料を含んだプリント料金を算出してパーソナルコンピュータ１２へ提示する（ステップＡ０６）。
【００３９】
この提示にしたがってパーソナルコンピュータ１２がウェブサーバ装置１４との間でクレジットカードによる決済処理を行なうと（ステップＡ０７）、ウェブサーバ装置１４は決済の終了に基づいてパーソナルコンピュータ１２に接続されているデジタルカメラ１１のメモリカードに記録されている該当する画像データに添付するようにして、決済を終えていることを示す決済データを追加記録し（ステップＡ０８）、以上でパーソナルコンピュータ１２によるウェブサーバ装置１４との間の手続きは完了となるので、ネットワーク１３を介しての接続を切断する。
【００４０】
こうしてデジタルカメラ１１のメモリカードへのプリント情報と決済データの書込みを終えたユーザは、後日、あらためてこのメモリカードを装着したデジタルカメラ１１、あるいはデジタルカメラ１１から取外したメモリカードのみをプリント業者のベンダ店舗１５に持込み、プリントの出力を依頼する（ステップＡ０９）。
【００４１】
ベンダ店舗１５側では、この依頼に対してメモリカードに記録されている画像データと、その画像データに添付して記録されているプリント情報及び決済データとを確認した上で（ステップＡ１０）、プリント情報に従ったプリントを作成する（ステップＡ１１）。
【００４２】
そして、プリントができ上がると、ベンダ店舗１５はこれをデジタルカメラ１１のユーザに引渡すと共に（ステップＡ１２）、該メモリカードから画像データに添付されている決済データを消去してユーザに返却し（ステップＡ１３）、以上でデジタルカメラ１１で撮影した画像のプリントを得るための一連の処理を完了する。
【００４３】
このように、ネットワーク１３を介してパーソナルコンピュータ１２等の情報端末機によりプリント業者のウェブサーバ装置１４と接続した上で、記録媒体であるメモリカードに記録されている画像データのプリントに関する決済を予め実行しておくことにより、決済後はそのメモリカードを同プリント業者のベンダ店舗１５へ持ち込んでプリントしてもらうことができ、且つその際には煩雑な課金処理等が発生しないため、デジタルカメラ１１のユーザにとって、より気軽にデジタル画像データから高品質のプリントを得ることが可能となる。
【００４４】
また、プリント業者のベンダ店舗１５では、プリントを行なった後に、記録媒体であるメモリカードからその画像データに添付して記録されていた決済データを消去するようにしたため、ユーザが不正に重複したプリントを得るようなことを確実に防止できる。
【００４５】
なお、特にベンダ店舗１５でのプリントに際して課金処理が発生しない点に鑑み、例えば記録媒体であるメモリカードを知人に手渡すことで、その知人に該メモリカードをベンダ店舗１５に持っていってもらい、でき上がったプリントをその知人にプレゼントする、などといった用途に活用することも考えられる。
【００４６】
（第２の実施の形態）
以下本発明を、デジタルカメラで撮影した画像データによりプリントを行なうプリントサービスシステムに適用した第２の実施の形態について図面を参照して説明する。
【００４７】
図４は、システム全体の構成を示すものであり、１１がユーザの所有するデジタルカメラである。
【００４８】
このデジタルカメラ１１は、撮影した画像データ（以下「本画像データ」と称する）と、その本画像データから画素数等を大幅に減少して作成したプレビュー用のサムネイル画像データとを、それぞれこのデジタルカメラ１１本体に着脱自在にして備えられた記録媒体であるメモリカードに記録するようになっており、これらの画像データを記録したメモリカードを装着した状態のデジタルカメラ１１を、同じくユーザが所有するパーソナルコンピュータ１２に接続する。
【００４９】
この場合、デジタルカメラ１１とパーソナルコンピュータ１２とをＵＳＢやＩＥＥＥ１３９４のようなシリアルインターフェイスのケーブルで接続するものとしてもよいし、あるいはデジタルカメラ１１とパーソナルコンピュータ１２が共にＢｌｕｅｔｏｏｔｈのような無線インターフェイスに対応していれば、デジタルカメラ１１をパーソナルコンピュータ１２の所定範囲内に配置して自動的に無線接続するものとしてもよい。
【００５０】
しかして、デジタルカメラ１１を接続したパーソナルコンピュータ１２はまた、公衆回線網及びインターネットを含むネットワーク１３を介して、プリント業者のウェブサーバ装置１４が開設しているサービスサイトにもアクセス可能であり、該サービスサイトのウェブページ上でプリントする画像の設定やプリント料金の決済を行なう。
【００５１】
このウェブサーバ装置１４との接続により、パーソナルコンピュータ１２に接続したデジタルカメラ１１に記録されている本画像データはウェブサーバ装置１４側へ転送され、デジタルカメラ１１に記録されているサムネイル画像データには、プリント情報と決済データとが添付されるようになる。
【００５２】
ウェブサーバ装置１４は、ネットワーク１３を介して転送されてきた本画像データを蓄積して保存する画像データベース１６を備えており、後日、プリントの要求に際してこの画像データベース１６に保存している本画像データを読出してネットワーク１３へ送出する。
【００５３】
デジタルカメラ１１のユーザは、後日、このプリント情報と決済データとが添付されたサムネイル画像データを記録しているデジタルカメラ１１、あるいはデジタルカメラ１１から取出したメモリカードを、上記プリント業者の経営する最寄りのベンダ店舗１５に持込み、画像のプリントを依頼する。
【００５４】
依頼を受けたベンダ店舗１５では、ネットワーク１３を介してウェブサーバ装置１４に当該本画像データの画像データベース１６からの読出しを要求し、送られてきた本画像データを用いてプリントを実施する。
【００５５】
次に上記実施の形態の動作について説明する。
【００５６】
図５は、デジタルカメラ１１及びパーソナルコンピュータ１２のユーザとプリント業者のウェブサーバ装置１４、及び同プリント業者のベンダ店舗１５の間で実行される手順の流れを示すものである。
【００５７】
まず、ユーザは上述した如く画像データを記録したデジタルカメラ１１をパーソナルコンピュータ１２に接続した状態で、パーソナルコンピュータ１２によりネットワーク１３を介してプリント業者のウェブサーバ装置１４が開設しているサービスサイトにアクセスする（ステップＢ０１）。
【００５８】
この際、ユーザは、個人認証のためにＩＤ及びパスワードの入力を行なうもので、ウェブサーバ装置１４では、入力されたＩＤ及びパスワードにより認証処理を実行し（ステップＢ０２）、認証が得られると、ウェブサーバ装置１４に対して処理の続行を許可し、具体的なプリントの手続きを行なうウェブページでの処理に移行する（ステップＢ０３）。
【００５９】
ここでパーソナルコンピュータ１２とウェブサーバ装置１４との間では、プリント手続きとして、例えばプリントを行なう画像データのファイル名とプリント枚数、日付けの写し込みの有無等をパーソナルコンピュータ１２がウェブページ中の項目に従って選択指定するもので、ウェブサーバ装置１４は対応するＤＰＯＦの規格に従ったプリント情報を作成し、パーソナルコンピュータ１２に接続されているデジタルカメラ１１の記録媒体であるメモリカードの当該サムネイル画像データに添付するようにして書込んでいく（ステップＢ０４）。
【００６０】
そして、パーソナルコンピュータ１２側からプリントの手続きの終了を指示する入力がなされると、ウェブサーバ装置１４は、最終的に選択指定された全プリント情報と、パーソナルコンピュータ１２に接続されているデジタルカメラ１１のメモリカードの各サムネイル画像データに添付して記録したプリント情報の状態とに相違がないことをチェックした上で（ステップＢ０５）、手数料を含んだプリント料金を算出してパーソナルコンピュータ１２へ提示する（ステップＢ０６）。
【００６１】
この提示にしたがってパーソナルコンピュータ１２がウェブサーバ装置１４との間でクレジットカードによる決済処理を行なうと（ステップＢ０７）、ウェブサーバ装置１４は決済の終了に基づいてパーソナルコンピュータ１２に接続されているデジタルカメラ１１のメモリカードから、プリントを行なうものとしてサムネイル画像データにプリント情報を添付した、指定された本画像データをすべて画像データベース１６へ移動させ、ユーザの認識及びパスワードを付加して保存させる（ステップＢ０８，Ｂ０９）。
【００６２】
次いで、パーソナルコンピュータ１２に接続されているデジタルカメラ１１のメモリカードに、さらに決済を終えていることを示す決済データを追加記録し（ステップＢ１０）、以上でパーソナルコンピュータ１２によるウェブサーバ装置１４との間の手続きは完了となるので、ネットワーク１３を介しての接続を切断する。
【００６３】
こうしてデジタルカメラ１１のメモリカードからの本画像データの読出しと、同メモリカードへのプリント情報と決済データの書込みを終えたユーザは、後日、あらためてこのメモリカードを装着したデジタルカメラ１１、あるいはデジタルカメラ１１から取外したメモリカードのみをプリント業者のベンダ店舗１５に持込み、プリントの出力を依頼する（ステップＢ１１）。
【００６４】
ベンダ店舗１５側では、この依頼に対してメモリカードに記録されているサムネイル画像データに添付されたプリント情報及び決済データを読出して確認した上で（ステップＢ１２）、これをそのままネットワーク１３を介してウェブサーバ装置１４へ転送する（ステップＢ１３）。
【００６５】
ウェブサーバ装置１４は、ベンダ店舗１５から送られてきたサムネイル画像データのファイル名とプリント情報、決済データにより画像データベース１６を検索し、該当する本画像データがあるとこれを読出して、サムネイル画像データの内容と本画像データの内容とのマッチングにより照合を行なうことで、プリントすべき本画像データを選び出す（ステップＢ１４）。
【００６６】
ウェブサーバ装置１４は、その照合結果をベンダ店舗１５へ通知すると共に（ステップＢ１５）、正しい本画像データを読出すことができた場合にはそれをベンダ店舗１５へ転送する（ステップＢ１６）。
【００６７】
本画像データの転送を受けたベンダ店舗１５では、その本画像データと、対応するプリント情報とに従ってプリントを作成する（ステップＢ１７）。
【００６８】
そして、すべてのプリントができ上がると、ベンダ店舗１５はプリントを終えたことをウェブサーバ装置１４に対して通知するもので（ステップＢ１８）、これによりウェブサーバ装置１４では、画像データベース１６に保存記憶していた画像データとそれに類する各データを一括して消去する（ステップＢ１９）。
【００６９】
また、ベンダ店舗１５は、でき上がったプリントをデジタルカメラ１１のユーザに引渡すと共に（ステップＢ２０）、プリントに使用した本画像データをメモリカードに書込み設定し、併せて該メモリカードからサムネイル画像データに添付されていた決済データを消去した上でユーザに返却し（ステップＢ２１）、以上でデジタルカメラ１１で撮影した画像のプリントを得るための一連の処理を完了する。
【００７０】
このように、ネットワーク１３を介してパーソナルコンピュータ１２等の情報端末機によりプリント業者のウェブサーバ装置１４と接続した上で、記録媒体であるメモリカードに記録されている画像データのプリントに関する決済を予め実行しておくことにより、決済後はそのメモリカードを同プリント業者のベンダ店舗１５へ持ち込んでプリントしてもらうことができ、且つその際には煩雑な課金処理等が発生しないため、デジタルカメラ１１のユーザにとって、より気軽にデジタル画像データから高品質のプリントを得ることが可能となる。
【００７１】
加えて、ウェブサーバ装置１４との接続に際して、メモリカードからプリントすべき本画像データをウェブサーバ装置１４が備える画像データベース１６側へ移動してしまい、メモリカードには対応するサムネイル画像データがプリント情報及び決済データが添付された状態で残されるのみであるので、記録容量に制限のあるメモリカードを有効に活用し、より多数の画像の撮影に利用することができる。
【００７２】
なお、上記実施の形態では、プリント後に本画像データを再びメモリカードに記録するものとして説明したが、プリント後の本画像データはデジタルカメラ１１に装着するメモリカードではなく、他の記録媒体、例えばＣＤ−Ｒ（ＣＤ−Ｒｅｃｏｒｄａｂｌｅ）等にサムネイル画像データと共に記録するサービスを提供するものとしてもよい。
【００７３】
その場合には、デジタルカメラ１１に装着するメモリカードを、次に撮影に備えてより有効に活用することができるようになると共に、本来はユーザが自己所有のパーソナルコンピュータ１２で行なうべき、プリントを得るような重要な画像データに対する保存をユーザに代って実行するサービスを提供できるため、ユーザの負担をより軽減できる。
【００７４】
また、ウェブサーバ装置１４とベンダ店舗１５は同じプリント業者が運営している例をあげたが、それぞれ別の業者が行ってもよい。
【００７５】
その他、本発明は上記各実施の形態に限らず、その要旨を逸脱しない範囲内で種々変形して実施することが可能であるものとする。
【００７６】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００７７】
【発明の効果】
本発明によれば、決済後はその記録手段をプリントベンダの店舗へ持ち込んでプリントしてもらうことができ、且つその際には煩雑な課金処理等が発生しないため、より気軽にデジタル画像データから高品質のプリントを得ることが可能となる。加えて、記録手段からプリントすべき本画像データをサーバ装置へ移動させ、記録手段には送信された本画像データに対応するプレビュー用のサブ画像が、決済データが添付された状態で残るのみになるので、記録容量に制限のある記録手段を有効に活用してより多数の画像の撮影に利用することができる。
【図面の簡単な説明】
【図１】本発明の第１の実施の形態に係るシステム全体の構成を示す図。
【図２】同実施の形態に係るウェブサーバの機能構成を示すブロック図。
【図３】同実施の形態に係る各装置間での手順の流れを示すシーケンス図。
【図４】本発明の第２の実施の形態に係るシステム全体の構成を示す図。
【図５】本実施の形態に係る各装置間での手順の流れを示すシーケンス図。
【符号の説明】
１１…デジタルカメラ
１２…パーソナルコンピュータ（ＰＣ）
１３…ネットワーク
１４…（プリント業者の）ウェブサーバ装置
１５…（プリント業者の）ベンダ店舗
１６…画像データベース
１０１…制御部
１０２…ＲＯＭ
１０３…ＲＡＭ
１０４…通信部
１０５…表示部
【図１】
0004130949.tif 000002
【図２】
0004130949.tif 000003
【図３】
0004130949.tif 000004
【図４】
0004130949.tif 000005
【図５】
0004130949.tif 000006